(57)【特許請求の範囲】
【請求項１】
印刷部からの用紙の剥離位置に向けて送風することにより前記印刷部から用紙を剥離するようにした印刷機の用紙剥離装置において、
通紙される用紙の幅方向と直交する方向であって前記剥離位置に向けた送風方向と直交する方向に回転中心軸を有してこの回転中心軸から遠ざかる方向に空気の流れを生じさせるブロワファンと、
このブロワファンの回転により発生した空気の流れの方向を前記剥離位置に向ける送風口と、
この送風口からの送風量が当該送風口の各位置で均等になるように、前記送風口よりも前記ブロワファンの回転により発生する空気の流れの上流側であって当該空気が当る位置に配置されることで当該空気の流れの方向を送風量が少ない方向に向け、当該空気が当る面が曲面形状に形成されている仕切板と、
を備えることを特徴とする印刷機の用紙剥離装置。
【請求項２】
印刷部からの用紙の剥離位置に向けて送風することにより前記印刷部から用紙を剥離するようにした印刷機の用紙剥離装置において、
通紙される用紙の幅方向と直交する方向であって前記剥離位置に向けた送風方向と直交する方向に回転中心軸を有してこの回転中心軸から遠ざかる方向に空気の流れを生じさせるブロワファンと、
このブロワファンの回転により発生した空気の流れの方向を前記剥離位置に向ける送風口と、
前記ブロワファンから前記送風口に到る空気の流路中に配置された整風ポールと、
を備えることを特徴とする印刷機の用紙剥離装置。
【請求項３】
整風ポールの直径は、５〜１５ｍｍであることを特徴とする請求項２記載の印刷機の用紙剥離装置。
【請求項４】
整風ポールは、空気の流れの方向に長い楕円形状を有することを特徴とする請求項２記載の印刷機の用紙剥離装置。
【請求項５】
印刷部からの用紙の剥離位置に向けて送風することにより前記印刷部から用紙を剥離するようにした印刷機の用紙剥離装置において、
通紙される用紙の幅方向と直交する方向であって前記剥離位置に向けた送風方向と直交する方向に回転中心軸を有してこの回転中心軸から遠ざかる方向に空気の流れを生じさせるブロワファンと、
このブロワファンの回転により発生した空気の流れの方向を前記剥離位置に向ける送風口と、
この送風口よりも前記ブロワファンの回転により発生する空気の流れの上流側であって当該空気の流れの量が多くなる側の送風量をより多く規制する整風フィルタと、
を備えることを特徴とする印刷機の用紙剥離装置。
【請求項６】
整風フィルタは、送風口におけるブロワファンの回転により発生した空気の流れの量が多くなる側に順次小さくなる複数個の通風孔を備えたシート状部材によって形成されていることを特徴とする請求項５記載の印刷機の用紙剥離装置。
【請求項７】
整風フィルタは、送風口におけるブロワファンの回転により発生した空気の流れの量が多くなる側が小さい二種類以上の大きさを持った複数個の通風孔を備えたシート状部材によって形成されていることを特徴とする請求項５記載の印刷機の用紙剥離装置。
【発明の詳細な説明】
【０００１】
【発明の属する技術分野】
本発明は、印刷部からの用紙の剥離位置に向けて送風することにより印刷部から用紙を剥離するようにした印刷機の用紙剥離装置に関する。
【０００２】
【従来の技術】
この種の装置は、例えば孔版印刷機において、剥離爪及びエアナイフの機構として用いられている。図１３には、このような剥離爪及びエアナイフの機構からなる用紙剥離装置１０１を備えた孔版印刷機１０２の一例を示す。
【０００３】
孔版印刷機１０２は、印刷部として、円筒状に形成された多孔質状の版胴１０３の内部に、その内周面に接するインキ供給ローラ１０４とこのインキ供給ローラ１０４にインキ１０５を供給するインキ供給部１０６とを備える。そして、版胴１０３に穿孔画像が形成されたマスタ１０７を巻着させ、用紙１０８を介して印刷部の一部を構成するプレスローラ１０９でインキ供給ローラ１０４の反対側から版胴１０３を押圧することで、インキ供給ローラ１０４に供給されたインキ１０５を版胴１０３の孔及びマスタ１０７の穿孔から滲み出させ、版胴１０３の回転タイミングに合わせて版胴１０３とプレスローラ１０９との間に搬送された用紙１０８に転移させる。これにより、マスタ１０５に穿孔形成された穿孔画像が用紙１０８に転写される。
【０００４】
そして、版胴１０３からの用紙１０８の剥離位置ＳＰには、剥離爪１１０とエアナイフを構成する送風機１１１とが配置されている。剥離爪１１０は、先端が鋭利な爪状部材であり、この鋭利な先端で版胴１０３に巻着されたマスタ１０７から用紙１０８の端部中央部分を剥離する。そして、マスタ１０７から用紙１０８を円滑に剥離させるために、剥離爪１１０の先端には空気吹出口１１２が形成され、この空気吹出口１１２から空気を吐出させるようになっている。空気吹出口１１２からの空気の吐出は、図示しないポンプ機構によって圧縮した空気を図示しないパイプを介して空気吹出口１１２に導くことにより行なわれる。次いで、送風機１１１は、内部にブロワファン１１３を有し、このブロワファン１１３の回転により空気の流れを発生させて用紙１０８の剥離位置ＳＰに送風する。これにより、端部中央部分が剥離爪１１０によってマスタ１０７から剥離された用紙１０８とマスタ１０７との間に空気が入れられ、用紙１０８の端部が全体的にマスタ１０７から剥離される。そして、マスタ１０７から剥離された用紙１０８は送風機１１１からの送風によって下方に追いやられ、版胴１０３の斜め下方に配置された吸着ユニット１１４に吸着される。この吸着ユニット１１４は、用紙１０８を支持するベルト搬送機構１１５を備え、このベルト搬送機構１１５に搬送された用紙１０８を吸引ファン１１６で吸引して吸着させる。
【０００５】
ここで、空気吹出口１１２から空気を吐出する構造の剥離爪１１０は実公平７−１５５０９号公報に記載され、送風機１１１から構成されるエアナイフ機構は特開昭６２−１４２６７７号公報に開示されている。
【０００６】
【発明が解決しようとする課題】
近年、エアナイフ機構を構成する送風機としては、スペース効率の観点より、図１４に例示するような扁平形状のものの使用頻度が高まっている。図１４及び図１５に例示する送風機１２１は、扁平筐体状のハウジング１２２に収納されたブロワファン１２３の回転によって発生した空気の流れを、エアダクト１２４に形成された送風口１２５より用紙１０８の剥離位置ＳＰに向かわせる構造である。このような扁平形状の送風機１２１では、ブロワファン１２３の回転中心軸は用紙１０８の幅方向と直交する方向となる。
【０００７】
ところが、送風機１２１は、ブロワファン１２３の回転によって空気の流れを発生させているため、図１４及び図１５に示すように、空気の流れはブロワファン１２３の回転方向に向かう。これに対し、ブロワファン１２３の回転中心軸は用紙１０８の幅方向と直交する方向である。このため、剥離位置ＳＰにおける用紙１０８への送風量が用紙１０８の右側と左側とで異なり、用紙１０８の剥離状態が左右不均一になってしまう。これにより、吸着ユニット１１４に対する用紙１０８の着地状態が左右不均一となり、吸着ユニット１１４において用紙１０８のスキューが生じてしまうという問題がある。その結果、排紙された用紙１０８の紙揃え状態が劣化してしまうという不都合が生ずる。
【０００８】
【課題を解決するための手段】
本発明は、印刷部からの用紙の剥離位置に向けて送風することにより印刷部から用紙を剥離するようにした印刷機の用紙剥離装置において、通紙される用紙の幅方向と直交する方向であって前記剥離位置に向けた送風方向と直交する方向に回転中心軸を有してこの回転中心軸から遠ざかる方向に空気の流れを生じさせるブロワファンと、このブロワファンの回転により発生した空気の流れの方向を剥離位置に向ける送風口とを備えた構成を基本とする。このような構成を基本としながら、各請求項記載の発明は、送風口からの送風量を送風口の各位置で均等にすることができるように構成されている。
【０００９】
請求項１記載の発明は、送風口からの送風量が当該送風口の各位置で均等になるように、送風口よりもブロワファンの回転により発生する空気の流れの上流側であって当該空気が当る位置に配置されることで当該空気の流れの方向を送風量が少ない方向に向け、当該空気が当る面が曲面形状に形成されている仕切板を設けた。したがって、ブロワファンの回転により流れる空気が仕切板に当り、その流れの方向が送風量が少ない方向に向けられる。これにより、送風口からの送風量が送風口の各位置で均等になる。また、ブロワファンの回転により発生した空気の流れを遮る面が曲面形状に形成されていれば送風範囲が広がるため、曲面形状である仕切板の曲率に応じて送風範囲が任意に設定される。
【００１０】
請求項２記載の発明は、ブロワファンから送風口に到る空気の流路中に整風ポールを配設した。したがって、風上から見て整風ポールの背面側ではカルマン渦列が発生し、送風口からの送風にエネルギー損失が生ずる。この場合、カルマン渦列は、送風量が多い空気の流れの方向側に生ずるため、この部分の送風量が減少し、送風口からの送風量が送風口の各位置で均等になる。この場合、請求項３記載の発明のように、整風ポールの直径は５〜１５ｍｍであることが望ましい。また、請求項４記載の発明のように、整風ポールが空気の流れ方向に長い楕円形状を有すれば送風範囲が広がるため、楕円形状である整風ポールの曲率に応じて送風範囲が任意に設定される。
【００１１】
請求項５記載の発明は、送風口ブロワファンの回転により発生する空気の流れの上流側であって当該空気の流れの量が多くなる側の送風量をより多く規制する整風フィルタを送風口に設けた。したがって、送風量が多い空気の流れの方向側の送風量が減少し、送風口からの送風量が送風口の各位置で均等になる。この場合、整風フィルタとしては、例えば、請求項６記載の発明のように、送風口におけるブロワファンの回転により発生した空気の流れの量が多くなる側に順次小さくなる複数個の通風孔を備えたシート状部材や、請求項７記載の発明のように、送風口におけるブロワファンの回転により発生した空気の流れの量が多くなる側が小さい二種類以上の大きさを持った複数個の通風孔を備えたシート状部材が用いられる。
【００１２】
【発明の実施の形態】
本発明は、用紙剥離装置の一部をなす送風機に関する。以下に述べる参考例及び実施の形態は、図１４及び図１５に例示した送風機１２１と基本的な構成が共通する。そこで、図１３に示す孔版印刷機１０２及び図１４及び図１５に示す送風機１２１と同一部分は同一符号で示し、説明も省略する。
【００１３】
本発明の参考例を図１及び図２に基づいて説明する。本参考例の送風機１２１では、ハウジング１２２内に、送風口１２５（図１及び図２には図示せず）から排出される前の空気を一旦溜め込む狭小空間１が設けられている。この狭小空間１は、ハウジング１２２の開口２の近傍に配置されてハウジング内を仕切る狭小空間用仕切板３によって形成されている。
【００１４】
このような構成において、ブロワファン１２３の回転により発生した空気は、ハウジング１２２の開口２及びダクト１２４（図１及び図２には図示せず）の送風孔１２５から排出される前に狭小空間１に留まる。すると、空気の流れが狭小空間１で止められ、この狭小空間１からは空気が直線状に流れる。図２は、ハウジング１２２の開口２から排出される空気の流れＥＦを仮想的に示す図である。このように、ハウジング１２２の開口２から排出される空気の流れＥＦが真っ直になるため、剥離位置ＳＰにおける用紙１０８への送風量が用紙１０８の右側と左側とで均等になり、用紙１０８の剥離状態が左右均一になる。これにより、吸着ユニット１１４における用紙１０８のスキューが防止され、その結果、排紙された用紙１０８の紙揃え状態が良好になる。
【００１５】
本発明の第一の実施の形態を図３及び図４に基づいて説明する。本実施の形態の送風機１２１では、エアダクト１２４内に仕切板１１が設けられている。この仕切板１１は、送風口１２５から用紙１１２の剥離位置ＳＰに直角に延出する直線Ａに対し、ブロワファン１２３の回転により発生した空気の流れを遮る方向に角度θだけ傾斜して配置されている。仕切板１１は、０．５〜２．０ｍｍ程度の厚みを持った平板状部材であり、このような仕切板１１が直線Ａに対して傾斜する角度θは、４０〜８０度の範囲で最適な角度に設定される。
【００１６】
このような構成において、ブロワファン１２３の回転により流れる空気は仕切板１１に当り、その流れの方向が送風量が少ない方向に向けられる。これにより、送風口１２５からの送風量が送風口１２５の各位置で均等になる。図４は、送風口１２５から排出される空気の流れＥＦを仮想的に示す図である。このように、送風口１２５から排出される空気の流れＥＦが真っ直になるため、剥離位置ＳＰにおける用紙１０８への送風量が用紙１０８の右側と左側とで均等になり、用紙１０８の剥離状態が左右均一になる。これにより、吸着ユニット１１４における用紙１０８のスキューが防止され、その結果、排紙された用紙１０８の紙揃え状態が良好になる。
【００１７】
図５は、本実施の形態における仕切板１１の変形例である。この変形例の仕切板１１では、ブロワファン１２３の回転により発生した空気の流れを遮る面が曲面形状に形成されている。このような曲面形状の仕切板１１を用いると、曲面の部分に空気が回り込み、送風口１１から排出される空気の送風範囲が広がる。そこで、曲面形状である仕切板１１の曲率に応じて送風範囲を任意に設定することが可能となる。
【００１８】
本発明の第二の実施の形態を図６及び図７に基づいて説明する。本実施の形態の送風機１２１では、ブロワファン１２３からハウジング１２２の開口２に到る空気の流路中に整風ポール２１が設けられている。この整風ポール２１は、直径５〜１５ｍｍの円柱状部材である。
【００１９】
このような構成において、風上から見て整風ポール２１の背面側にはカルマン渦列２２が発生する。カルマン渦列２２が発生する原理を図７に示す。ブロワファン１２３が回転してその回りに空気の流れが発生すると、この空気の流れはハウジング１２２の開口２に向かう。この際、レイノルズ数が非常に小さければ、空気の流れの中に位置する整風ポール２１の背面には渦２３が生成さる（図７（ａ））。これに対し、レイノルズ数が大きくなると、渦２３は下流側に押し流され、次々に新しい渦２３が発生する（図７（ｂ））。この際、整風ポール２１の両側から交互に逆向きの渦２３が生み出されては成長し、次の瞬間には押し流されるという過程が繰り返される。そして、それらの渦２３は、最終的にはカルマン渦列２２となって安定する（図７（ｃ））。
【００２０】
ここで、カルマン渦２２は、空気の流れの中に配置された整風ポール２１の下流側に生成され、空気の流れにエネルギー損失をもたらす。つまり、ブロワファン１２３の回転により生ずる空気の流れの量が多くなる側に生成され、この部分の空気の流れに対して抵抗となる。このため、送風量が多い空気の流れの方向側の送風量が減少し、ハウジング１２２の開口２からの送風量が開口２の各位置で均等になる。このため、エアダクト１２４の送風口１２５から排出される空気の流れが真っ直になるため、剥離位置ＳＰにおける用紙１０８への送風量が用紙１０８の右側と左側とで均等になり、用紙１０８の剥離状態が左右均一になる。これにより、吸着ユニット１１４における用紙１０８のスキューが防止され、その結果、排紙された用紙１０８の紙揃え状態が良好になる。
【００２１】
図８は、本実施の形態の整風ポール２１の配置位置に関する変形例を示す。この変形例は、整風ポール２１をエアダクト１２４内に配置した例である。この場合にも、図６及び図７に示す送風機１２１と同様の作用効果が奏される。
【００２２】
図９は、本実施の形態の整風ポール２１の形状に関する変形例を示す。この変形例の整風ポール２１は、空気の流れ方向に長い断面楕円形の円柱形状を有する。このような形状の整風ポール２１を用いると、楕円の長円方向に空気が回り込み、送風口１１から排出される空気の送風範囲が広がる。そこで、楕円の曲率に応じて送風範囲を任意に設定することが可能となる。
【００２３】
本発明の第三の実施の形態を図１０及び図１１に基づいて説明する。本実施の形態の送風機１２１では、ハウジング１２２の開口２とエアダクト１２４との接合部分に整風フィルタ３１が設けられている。この整風フィルタ３１は、複数個の通風孔３２を備えたシート状部材である。これらの通風孔３２は、ブロワファン１２３の回転方向によって発生する空気の流れの量が多くなる側とその反対側とで孔径が異なる。つまり、整風フィルタ３１は、空気の流れの量が多くなる側の送風量をより多く規制するような形状となっている。具体的には、整風フィルタ３１としては、通風孔３２の孔径が順次変化する整風フィルタ３１ａ（図１１（ａ））、通風孔３２の孔径が左右半分の領域で大きく他の半分の領域で小さい整風フィルタ３１ｂ（図１１（ｂ））、通風孔３２の孔径が左側領域と中央領域と右側領域とで順に小さくなる整風フィルタ３１ｃ（図１１（ｃ））等が適宜利用される。これらの各整風フィルタ３１は、小径の通風孔３２側を空気の流れの量が多くなる側に位置させてハウジング１２２の開口２とエアダクト１２４との接合部分に取り付けられる。
【００２４】
このような構成において、ハウジング１２２の開口２から排出される空気は、通風孔３２を通ってエアダクト１２４に流れ、送風口１２５から送風される。この際、送風量が多くなってしまう側では、小さな通風孔３２を空気が通過しなければならないため、その送風量が減少する。これにより、送風口１２５からの送風量が送風口１２５の各位置で均等になる。図１０に、送風口１２５から排出される空気の流れＥＦを仮想的に示す。このように、エアダクト１２４の送風口１２５から排出される空気の流れが真っ直になるため、剥離位置ＳＰにおける用紙１０８への送風量が用紙１０８の右側と左側とで均等になり、用紙１０８の剥離状態が左右均一になる。これにより、吸着ユニット１１４における用紙１０８のスキューが防止され、その結果、排紙された用紙１０８の紙揃え状態が良好になる。
【００２５】
図１１は、本実施の形態の整風フィルタ３１の取り付け位置に関する変形例である。図１１に示すように、エアダクト１２４の送風口１２５に整風フィルタ３１を取り付けても、図１０及び図１１に示す送風機１２１と同様の作用効果が奏される。
【００２６】
【発明の効果】
【００２７】
請求項１記載の発明によれば、送風口からの送風量を送風口の各位置で均等にすることができる。これにより、印刷部からの用紙の剥離位置に対する送風量のバラツキをなくすことができ、排紙される用紙のスキューを防止することができる。
【００２８】
そして、ブロワファンの回転により発生した空気の流れを遮る仕切板の面を曲面形状に形成したので、曲面形状である仕切板の曲率に応じて送風範囲を任意に設定することができる。
【００２９】
請求項２記載の発明によれば、風上から見て整風ポールの背面側にカルマン渦列を発生させてエネルギー損失を生じさせ、送風量が多い側の送風量を減少させて送風口からの送風量を送風口の各位置で均等にすることができる。これにより、印刷部からの用紙の剥離位置に対する送風量のバラツキをなくすことができ、排紙される用紙のスキューを防止することができる。
【００３０】
請求項３記載の発明は、整風ポールの直径を５〜１５ｍｍとしたので、送風口からの送風量を送風口の各位置でより均等にすることができる。
【００３１】
請求項４記載の発明は、整風ポールを空気の流れの方向に長い楕円形状に形成したので、楕円形状である整風ポールの曲率に応じて送風範囲を任意に設定することができる。
【００３２】
請求項５記載の発明によれば、送風量が多い側の送風量を減少させ、送風口からの送風量を送風口の各位置で均等にすることができる。これにより、印刷部からの用紙の剥離位置に対する送風量のバラツキをなくすことができ、排紙される用紙のスキューを防止することができる。
【００３３】
請求項６記載の発明は、送風口におけるブロワファンの回転により発生した空気の流れの量が多くなる側に順次小さくなる複数個の通風孔を備えたシート状部材によって整風フィルタを形成したので、整風フィルタを容易に形成することができ、送風口に対しても整風フィルタを容易に取り付けることができる。
【００３４】
請求項７記載の発明は、送風口におけるブロワファンの回転により発生した空気の流れの量が多くなる側が小さい二種類以上の大きさを持った複数個の通風孔を備えたシート状部材によって整風フィルタを形成したので、整風フィルタを容易に形成することができ、送風口に対しても整風フィルタを容易に取り付けることができる。
【図面の簡単な説明】
【図１】  本発明の参考例として、天板を省略して内部の構造を示す用紙剥離装置の斜視図である。
【図２】  送風方向と共に示す用紙剥離装置の斜視図である。
【図３】  本発明の第一の実施の形態として、一部を切り欠いて内部を示すダクトの斜視図である。
【図４】  送風方向と共に示す用紙剥離装置の斜視図である。
【図５】  仕切板の変形例を示す斜視図である。
【図６】  本発明の第二の実施の形態として、天板を省略して内部の構造を示す用紙剥離装置の斜視図である。
【図７】  整風ポールの背面側にカルマン渦列が発生する原理を説明するための説明図である。
【図８】  変形例を示すダクトの斜視図である。
【図９】  整風ポールの変形例を示す斜視図である。
【図１０】  本発明の第三の実施の形態として、送風方向と共に示す用紙剥離装置の斜視図である。
【図１１】  整風フィルタの斜視図である。
【図１２】  変形例を示す用紙剥離装置の斜視図である。
【図１３】  従来の一例として、孔版印刷機の主要部分を示す縦断側面図である。
【図１４】  図１３に示す孔版印刷機に用いられている用紙剥離装置を示す斜視図である。
【図１５】  送風方向と共に示すその用紙剥離装置の斜視図である。
【符号の説明】
１            狭小空間
１１          仕切板
２１          整風ポール
３１          整風フィルタ
３２          通風孔
１０３，１０４，１０６，１０９        印刷部
１０８        用紙
１２３        ブロワファン
１２５        送風口
ＳＰ          剥離位置
【図１】
0003812752.tif 000002
【図２】
0003812752.tif 000003
【図３】
0003812752.tif 000004
【図４】
0003812752.tif 000005
【図５】
0003812752.tif 000006
【図６】
0003812752.tif 000007
【図７】
0003812752.tif 000008
【図８】
0003812752.tif 000009
【図９】
0003812752.tif 000010
【図１０】
0003812752.tif 000011
【図１１】
0003812752.tif 000012
【図１２】
0003812752.tif 000013
【図１３】
0003812752.tif 000014
【図１４】
0003812752.tif 000015
【図１５】
0003812752.tif 000016